(57)【要約】【課題】  水中の餌や脱皮殻などの異物を効率良く捕捉して除去することができる魚介類の飼育装置を提供する。【解決手段】  魚介類が飼育される飼育水槽１に、吐出される水によって飼育水槽１内に水流を生じさせる複数のノズル２を設けると共に、各ノズル２をこの水流の向きの方向に沿って所定間隔で配置する。各ノズル２から吐出される水流で飼育水槽１内を移動された水中の異物が集まる異物収集箇所３に、異物を飼育水槽１内から除去する異物除去装置４を備える。飼育水槽１に複数設けられるノズル２からそれぞれ水を吐出させることによって、水中の異物を飼育水槽１内を順次移動させて異物収集箇所３に集め、この異物収集箇所３に集めた異物を異物除去装置４で効率良く、飼育水槽１の外部に除去することができる。【選択図】  図１
2006129862.tif 000002
【特許請求の範囲】
【請求項１】
魚介類が飼育される飼育水槽に、吐出される水によって飼育水槽内に水流を生じさせる複数のノズルを設けると共に、各ノズルをこの水流の向きの方向に沿って所定間隔で配置し、各ノズルから吐出される水流で飼育水槽内を移動された水中の異物が集まる異物収集箇所に、異物を飼育水槽内から除去する異物除去装置を備えて成ることを特徴とする魚介類の飼育装置。
【請求項２】
異物除去装置で除去された異物である魚介類の脱皮殻を搬送する水切り機能付きの搬送具と、流動されるろ材を備え、搬送具から投入された脱皮殻を水中に溶解させる脱皮殻溶解槽と、脱皮殻が溶解された水を脱皮殻溶解槽から飼育水槽に返送する流出路とを具備して成ることを特徴とする請求項１に記載の魚介類の飼育装置。
【請求項３】
脱皮殻溶解槽に投入される脱皮殻を粉砕する粉砕装置を備えて成ることを特徴とする請求項２に記載の魚介類の飼育装置。
【請求項４】
請求項１乃至３のいずれかに記載の魚介類の飼育装置を用い、複数配置されるノズルを水流の上流側のノズルから下流側のノズルへと順に所定時間毎に吐出作動させることによって、水中の異物を各ノズルから吐出される水流で飼育水槽内を順次移動させ、異物収集箇所に至った異物を異物除去装置で飼育水槽内から除去することを特徴とする魚介類の飼育装置における異物除去方法。
【請求項５】
複数配置されるノズルを複数組のノズルから形成し、各組において水流の最上流に位置するノズルを基準にして、上流側の組から下流側の組へと順に各組のノズルを所定時間毎に吐出作動させることを特徴とする請求項４に記載の魚介類の飼育装置における異物除去方法。
【発明の詳細な説明】
【技術分野】
【０００１】
本発明は、飼育水槽で魚介類を飼育するようにした魚介類の飼育装置及び異物除去方法に関するものである。
【背景技術】
【０００２】
飼育水槽で魚介類を養殖したり、一時的に蓄養したりする場合、飼育水槽内の飼育用の水を浄化しながら循環させることが行なわれている。そして飼育水槽には一般に高い密度で魚介類が飼育されるので、飼育水槽内に残餌や、エビなどを飼育する場合には抜け殻などの異物が溜まり易く、水が汚れて魚介類に病気が発生する原因となる。このため飼育水槽からこのような異物を除去する必要があり、現状では毎日、潜水作業して人力によって異物を回収除去するようにしているが、いわゆる３Ｋの作業となり、人件費も多くかかってくる。
【０００３】
そこで、飼育水槽にノズルから水を吐出させることによって、飼育水槽内に水流を生じさせ、この水流によって水中の異物を流して、異物を人力によることなく自動的に除去することが試みられている（例えば特許文献１等参照）。
【特許文献１】特開平８−４７３５４号公報
【発明の開示】
【発明が解決しようとする課題】
【０００４】
しかしながら、飼育水槽内に水流を生じさせて水中の異物を流すだけでは、異物を集中して捕捉することができず、水中の異物の除去の効率に問題を有するものであった。
【０００５】
本発明は上記の点に鑑みてなされたものであり、水中の餌や脱皮殻などの異物を効率良く捕捉して除去することができる魚介類の飼育装置及び異物除去方法を提供することを目的とするものである。
【課題を解決するための手段】
【０００６】
本発明の請求項１に係る魚介類の飼育装置は、魚介類が飼育される飼育水槽１に、吐出される水によって飼育水槽１内に水流を生じさせる複数のノズル２を設けると共に、各ノズル２をこの水流の向きの方向に沿って所定間隔で配置し、各ノズル２から吐出される水流で飼育水槽１内を移動された水中の異物が集まる異物収集箇所３に、異物を飼育水槽１内から除去する異物除去装置４を備えて成ることを特徴とするものである。
【０００７】
また請求項２の発明は、請求項１において、異物除去装置４で除去された異物である魚介類の脱皮殻を搬送する水切り機能付きの搬送具４５と、流動されるろ材４７を備え、搬送具４５で搬入された脱皮殻を水中に溶解させる脱皮殻溶解槽４８と、脱皮殻が溶解された水を脱皮殻溶解槽４８から飼育水槽１に返送する流出路４９とを具備して成ることを特徴とするものである。
【０００８】
また請求項３の発明は、請求項２において、脱皮殻溶解槽４８に投入される脱皮殻を粉砕する粉砕装置５０を備えて成ることを特徴とするものである。
【０００９】
本発明の請求項４に係る魚介類の飼育装置における異物除去方法は、請求項１乃至４のいずれかに記載の魚介類の飼育装置において、複数配置されるノズル２を水流の上流側のノズル２から下流側のノズル２へと順に所定時間毎に吐出作動させることによって、水中の異物を各ノズル２から吐出される水流で飼育水槽１内を順次移動させ、異物収集箇所３に至った異物を異物除去装置４で飼育水槽１内から除去することを特徴とするものである。
【００１０】
また請求項５の発明は、請求項４において、複数配置されるノズル２を複数組のノズル２から形成し、各組において水流の最上流に位置するノズル２を基準にして、上流側の組から下流側の組へと順に各組のノズル２を所定時間毎に吐出作動させることを特徴とするものである。
【発明の効果】
【００１１】
本発明によれば、飼育水槽１に複数設けられるノズル２からそれぞれ水を吐出させることによって、水中の異物を飼育水槽１内を順次移動させて異物収集箇所３に集め、この異物収集箇所３に集めた異物を異物除去装置４で効率良く捕捉して、飼育水槽１の外部に除去することができるものである。
【発明を実施するための最良の形態】
【００１２】
以下、本発明を実施するための最良の形態を説明する。
【００１３】
飼育水槽１は平面形状を図１に示すように細長い矩形状に形成してあり、その両端部は半円形に形成してある。そして図２に示すように、飼育水槽１の底部に通水仕切板１０を全面に亘って配置することによって、通水仕切板１０で飼育水槽１の底部を二重底構造にしてあり、通水仕切板１０の上側に飼育室１１を形成すると共に、通水仕切板１０の下側に給水室１２を形成するようにしてある。通水仕切板１０は格子状の板など水が自由に通過できるように形成してあり、この通水仕切板１０の上に砂状物質を通過させない網目のメッシュシート１３を敷き、その上に砂状物質を敷くことによって砂状物質層１４が形成してある。尚、通水仕切板１０は、例えば、４０ｍｍ角の格子からなるＦＲＰ製グレーチングで形成したものを用いることができ、メッシュシート１３は、例えば１．５ｍｍ角の格子の網で形成したものを用いることができる。砂状物質層１４の厚みは、飼育するクルマエビなどの魚介類が潜ることができる程度の１０〜３０ｃｍ程度、特に好ましくは１０〜１５ｃｍ程度に形成されるものである。この砂状物質層１４を形成する砂状物質としては、自然砂などを用いることもできるが、断面形状が円形の円柱状又は断面形状が楕円形の楕円柱状の樹脂粒を用いるのが好ましく、例えばポリエチレンテレフタレートのペレットで形成した樹脂粒を用いることができる。
【００１４】
また飼育水槽１の中央には長手方向に沿って仕切壁１６が設けてある。この仕切壁１６は通水仕切板１０の上に立設されるものであり、この仕切壁１６によって飼育水槽１の飼育室１１内を幅方向に分割し、図１のように飼育室１１に一対の平行な水路１７ａ，１７ｂが形成されるようにしてある。仕切壁１６は飼育水槽１の両端部にまで及ばない範囲で設けてあり、仕切壁１６の両端部と飼育室１１の両端部の周壁との間に、各水路１７ａ，１７ｂの端部が連通する連通水路１８ａ，１８ｂが形成されるようにしてある。
【００１５】
飼育水槽１内の水は循環ポンプ２０によって給水路２１と返送路２２を通して浄化しながら循環させるようにしてある。循環ポンプ２０は給水路２１によって飼育水槽１の給水室１２に接続するようにしてあり、給水路２１は分岐して図１のように飼育水槽１の一方の端部と他方の端部に接続してある。返送路２２は図２のように給水室１２の底部に配置されるものであり、一端部を飼育水槽１の端部から導出して、ドラムフィルター等で形成されるフィルター２３を介して循環ポンプ２０に接続するようにしてある。返送路２２には給水室１２内において排水筒２５が立ち上げて設けてあり、この排水筒２５は通水仕切板１０や砂状物質層１４を通してその上端の開口を飼育室１１内に配置してある。排水筒２５の上端開口は網で形成したガード筒２６によって図５のように囲い、魚介類が吸い込まれるのを防ぐようにしてあり、ガード筒２６の上端部は飼育水槽１の水面Ｌよりも上方に突出させてある。
【００１６】
また、飼育水槽１の飼育室１１内には各水路１７ａ，１７ｂにおいてそれぞれ複数本ずつノズル２が設けてあり、これらのノズル２は各水路１７ａ，１７ｂに沿って所定間隔で配置してある。ノズル２は水平に配置される筒体にその長手方向（筒の軸方向）に沿った複数箇所に吐出口２８を設けて形成されるものであり、各ノズル２は水路１７ａ，１７ｂを幅方向に横切るように配置してある。ここで、一方の水路１７ａには、一方の端部寄りに第一のノズル２ａを配置し、第二のノズル２ｂを第一のノズル２ａよりも水路１７ａの長手方向の中央部寄りに配置するというように、複数本のノズル２を配置するものであり、他方の水路１７ｂには、他方の端部寄りに第一のノズル２ａを配置し、第二のノズル２ｂを第一のノズル２ａよりも水路１７ｂの長手方向の中央部寄りに配置するというように、複数本のノズル２を配置するものである。そして端部に位置する第一のノズル２ａには第二のノズル２ｂの側を向くように吐出口２８を設けるようにして、各水路１７ａ，１７ｂにおいて各ノズル２の吐出口２８が同じ方向を向くようにしてある。従って、一方の水路１７ａのノズル２と他方の水路１７ｂのノズル２は吐出口２８の向きが逆向きになるように、各ノズル２の吐出口２８の開口の向きが設定されるものである。
【００１７】
また各ノズル２の仕切壁１６側の端部には給水パイプ２９が上方へ立ち上がるように設けてあり、この給水パイプ２９を仕切壁１６に固定することによって、ノズル２を飼育室１１内で保持するようにしてある。ノズル２は図４（ａ）のように飼育室１１の水面Ｌより下の水中に配置されるものであり、砂状物質層１４の上面と水面Ｌとの中間よりやや上の位置にノズル２を配置するのが好ましい。また図４（ｂ）に示すように、吐出口２８は吐出方向が水平から１〜２°程度下側になるように、ノズル２にやや下向きになるように設けるのが好ましい。
【００１８】
そして図１及び図２に示すように、給水路２１から分岐して設けた給水配管３１を各ノズル２に設けた給水パイプ２９の上端部に接続してある。給水配管３１の給水路２１への接続部には開閉弁３３が、給水配管３１の各給水パイプ２９への接続部には開閉弁３４がそれぞれ設けてある。さらに給水路２１の給水配管３１との接続部より水の流れの下流側の位置に開閉弁３５が設けてある。これらの開閉弁３３，３４，３５は電磁弁などで形成してあり、開閉を自動制御することができるようにしてある。
【００１９】
上記のように形成される飼育装置にあって、飼育水槽１の飼育室１１で砂状物質層１４に潜る習性のある魚介類、例えばクルマエビなどを養殖することができる。そして開閉弁３５を開くと共に開閉弁３３を閉じた状態で循環ポンプ２０を作動すると、飼育水槽１の飼育室１１内の水は、排水筒２５から返送路２２に入り、フィルター２３に供給されて水中の固形分が除去される。フィルター２３を通過した水は、循環ポンプ２０の吐出力によって、給水路２１を通して飼育水槽１の給水室１２に給水される。さらに給水室１２に流入した水は、循環ポンプ２０からの吐出水圧によって通水仕切板１０、メッシュシート１３及び砂状物質層１４を通過し、飼育室１１に流入する。このようにして、飼育水槽１の水を循環させることができるものである。
【００２０】
そして上記のように給水室１２に給水された水を砂状物質層１４に下側から上側へと通過させて飼育室１１に移流させることによって、砂状物質層１４内の残餌や脱皮殻などの異物を水流によって砂状物質層１４の上側に押し上げて浮き上がらせることができるものであり、異物を砂状物質層１４内から除去することができるものである。またこのように砂状物質層１４内に水を通過させることによって、砂状物質層１４内に含まれる水を常に更新して、水に含有される酸素で砂状物質層１４内を好気性に保つことができるものである。このため、砂状物質層１４内が嫌気性になることを防止し、砂状物質層１４内に棲息する好気性菌である硝化菌の増殖や活性化を促して、飼育する魚介類から排泄されるアンモニウムを硝化菌で良好に分解することができるものであり、アンモニア分解のための特別な設備を備える必要をなくすことが可能になるものである。
【００２１】
上記のように、砂状物質層１４内の残餌や抜け殻などの異物は押し上げられ、飼育室１１の底部に異物が存在している。そこで一日に１〜３回程度、この異物を飼育室１１から除去する運転を行なう。この異物除去運転の際には、まず給水路２１の開閉弁３５を閉じると共に給水配管３１の開閉弁３３を開く。このように給水配管３１の開閉弁３３を開くと、循環ポンプ２０の吐出力で給水路２１から給水配管３１に水が送り出され、ノズル２に水が供給されて吐出口２８から水が吐出される。飼育室１１の水路１７ａ，１７ｂに配置されたノズル２の吐出口２８から水が吐出されると、水の吐出方向に飼育室１１内で水流が発生する。この水流は図３に矢印で示すように、水路１７ａと水路１７ｂとで向きが逆であり、連通水路１８ａ，１８ｂで水流の向きが１８０°転換し、仕切壁１６で仕切られた飼育室１１内を飼育室１１の周壁に沿って一方向に流れる回流となる。このように仕切壁１６で仕切られた飼育室１１内を一方向に流れる回流が生じると、連通水路１８ｂから水路１７ａに水流が向きを変えて流入する際に、この水路１７ａの流入側端部において仕切壁１６の端部に接する箇所で渦が生じ、水路１７ａの流入側端部において、水路１７ａの幅の略半分程度の範囲で渦流が図３に示すように発生する。同様に水路１７ｂの流入側端部においても、仕切壁１６の端部に接する箇所で水路１７ｂの幅の略半分程度の範囲で渦流が図３に示すように発生する。このような渦流が発生することはシミュレーションによって確認されており、また実機においても確認されている。
【００２２】
そして飼育室１１内に存在する異物は、上記のような水流によって押し流され、水路１７ａ，１７ｂに沿って移動し、さらに連通水路１８ａ，１８ｂを通過して水路１７ａから水路１７ｂへ、あるいは水路１７ｂから水路１７ａへと移動するが、水路１７ａの流入側端部や水路１７ｂの流入側端部では、上記のように渦流が発生しているので、この渦流によって異物が水路１７ａの渦流発生部や水路１７ｂの渦流発生部に集まり、この部分を異物収集箇所３として異物を収集することができるものである。このとき、この異物収集箇所３の水の流れの下流側に異物を通さない網目の異物止めネット３６を張っておくことによって、異物が異物収集箇所３から流れ出すことを防ぐことができ、異物収集箇所３に異物を確実に収集することができるものである。異物止めネット３６は、仕切板１６から水路１７ａ，１７ｂの幅方向の半分程度の範囲に設けるようにし、魚介類が飼育室１１内を移動するのを妨げないようにするのが好ましい。
【００２３】
ここで、上記のように給水配管３１の各ノズル２の給水パイプ２９への接続部にはそれぞれ開閉弁３４が設けてあり、この開閉弁３４を開閉制御することによって、各ノズル２を順に作動させて、水を順に吐出させるようにしてある。すなわち、まず水路１７ａと水路１７ｂに設けた第一のノズル２ａのみを所定時間吐出作動させて、この第一のノズル２ａから水を吐出させると、第一のノズル２ａと第二のノズル２ｂの間に存在する異物がこの水の吐出による水流で流されて、第二のノズル２ｂの前方へ移動する。次に第一のノズル２ａの吐出を停止させ、第二のノズル２ｂのみを所定時間吐出作動させて、この第一のノズル２ａから水を吐出させると、第二のノズル２ｂの前方に存在する異物がこの水の吐出による水流で流されて、異物収集箇所３にまで移動し、異物収集箇所３に異物を収集することができるものである。このように複数配置されるノズル２を水流の上流側のものから下流側のものへと順に所定時間毎に吐出作動させることによって、異物を順に送るように移動させることができるものであり、異物収集箇所３に異物を効率良く収集することができるものである。特に、総てのノズル２から同時に水を吐出させると、各ノズル２からの水の吐出圧は低くなり、大きな異物は水流で移動させることができないことがあるが、このようにノズル２を個別に順に吐出させると、個々のノズル２からの水の吐出圧が高くなり、大きな異物であっても水流で移動させて異物収集箇所３に異物を収集することが可能になるものである。例えば、第一のノズル２ａを３０分作動させた後に、第二のノズル２ｂを３０分作動させ、さらに第一のノズル２ａを２０分作動させた後に、第二のノズル２ｂを１５分作動させるというように、ノズル２を順に間欠的に作動させることができるものである。勿論、ノズル２の作動時間はこれに限定されるものではなく、例えば、第一のノズル２ａと第二のノズル２ｂの作動時間をそれぞれ１５分に設定するなど、任意の時間に設定することができるものである。
【００２４】
尚、飼育室１１の各水路１７ａ，１７ｂに配置されるノズル２の本数は、水路１７ａ，１７ｂの長さに応じて決まるものであり、図の実施の形態では各水路１７ａ，１７ｂに２本ずつ配置しているが、水路１７ａ，１７ｂの長さに応じて３本以上のノズル２を配置するようにしてもよい。
【００２５】
ここで、水路１７ａ，１７ｂが長く、水路１７ａ，１７ｂに配置されるノズル２の本数が多くなる場合には、各水路１７ａ，１７ｂに配置されるノズル２を複数組のノズル２から形成し、上流側の組から下流側の組へと順に各組のノズル２を所定時間毎に吐出作動させるようにしてもよい。図６はその一例を示すものであり（図６にはノズル２のみを図示するが、他の構成は上記と同じ）、例えば、各水路１７ａ，１７ｂには８本ずつノズル２が配置してあり、各水路１７ａ，１７ｂに配置されるノズル２を水流の上流側から順にノズル２−１、ノズル２−２、ノズル２−３、ノズル２−４、ノズル２−５、ノズル２−６、ノズル２−７、ノズル２−８とすると、奇数に配置されるノズル２−１、ノズル２−３、ノズル２−５、ノズル２−７で１組が、偶数に配置されるノズル２−２、ノズル２−４、ノズル２−６、ノズル２−８で他の１組が形成されるようにしてある。そして奇数組において最上流に位置するノズル２−１は、偶数組において最上流に位置するノズル２−２よりも上流側であるので、まず奇数組のノズル２−１、ノズル２−３、ノズル２−５、ノズル２−７を一斉に所定時間、例えば３０分間吐出作動させて停止させた後に、偶数組のノズル２−２、ノズル２−４、ノズル２−６、ノズル２−８を一斉に所定時間、例えば３０分間吐出作動させて停止させ、さらに奇数組のノズル２−１、ノズル２−３、ノズル２−５、ノズル２−７を一斉に所定時間、例えば２０分間吐出作動させて停止させた後に、偶数組のノズル２−２、ノズル２−４、ノズル２−６、ノズル２−８を一斉に所定時間、例えば１５分間吐出作動させて停止させるようにしてある。勿論、この図６の実施の形態のように各水路１７ａ，１７ｂにノズル２を偶数設けることに限定されるものではなく、各水路１７ａ，１７ｂに複数のノズル２を２組以上配置し、各組毎にノズル２を順に吐出作動させるようにすればよい。またノズル２の作動時間も限定されるものではなく、任意の時間に設定することができるのはいうまでない。
【００２６】
上記の異物収集箇所３には異物除去装置４が配置してある。異物除去装置４はエアリフトポンプ３８によって形成することができる。エアリフトポンプ３８は図５に示すように、エアリフトパイプ３９の上端に吐出パイプ４０を側方へ突出して設け、ブロア４１に接続されたエアホース４２をエアリフトパイプ３９の下端部に接続することによって形成されるものであり、エアリフトパイプ３９の下端の開口が砂状物質層１４の上面よりやや上方に位置するように縦の向きで配置してある。エアリフトポンプ３８はエアリフトパイプ３９を仕切壁１６に取り付けることによって支持するようにしてあり、吐出パイプ４０の先端は飼育室１１の水面Ｌの上方において排水筒２５の直上位置に配置されるようにしてある。排水筒２５の上端開口には既述のようにガード筒２６が取り付けてあり、異物を通過させない網目の異物受けネット４３をガード筒２６の上端開口に被せてある。そしてエアリフトポンプ３８の吐出パイプ４０の先端はこの異物受けネット４３の直上に配置するようにしてある。
【００２７】
上記のように形成されるエアリフトポンプ３８にあって、ブロア４１を作動させてエアリフトパイプ３９内にエアが供給されると、エアがエアリフトパイプ３９内を上昇することによって、エアリフトパイプ３９内の水はエアによって押し上げられ、エアリフトパイプ３９の上端の吐出パイプ４０の先端から吐出される。このようにエアリフトパイプ３９の水が吐出パイプ４０から吐出されることに伴って、下端の開口からエアリフトパイプ３９内に水が吸引されるものであり、このとき同時に水中の異物もエアリフトパイプ３９内に吸引され、この吸引された異物は水と共に吐出パイプ４０の先端から吐出される。水と共に吐出された異物は排水筒２５の異物受けネット４３に受けて回収することができるものである。このように、異物収集箇所３に収集された異物をエアリフトポンプ３８からなる異物除去装置４で効率良く捕捉して除去することができるものである。
【００２８】
ここで、飼育水槽１でエビなどの甲殻類を飼育する場合、甲殻類は飼育水槽１の海水中のカルシウムなどのミネラル分を吸収して甲殻を形成しているが、甲殻類は脱皮を繰り返して成長するために、飼育水槽１の水中のミネラル分が消費されて減少する。そして上記のように異物除去装置４で捕捉して除去される異物の大部分は脱皮殻であり、異物除去装置４で除去された脱皮殻がそのまま産業廃棄物として廃棄されると、処理費用や手間が必要になるばかりでなく、脱皮殻に含まれるミネラル分も廃棄されることになり、飼育水槽１の水中のミネラル分が欠乏してくる。
【００２９】
そこで図７及び図８の実施の形態では、異物除去装置４で除去された飼育水槽１の脱皮殻からミネラル分を回収して飼育水槽１に戻すようにしてある。すなわち図７及び図８において４５は搬送具であり、例えば回転駆動されるロール５２間に網などの通水性を有する無限帯状のベルト５３を掛け渡したベルトコンベアとして形成してある。この搬送具４５は飼育水槽１の上方に配置されるものであり、ロール５２の回転で走行駆動されるベルト５３の走行側の終端部が飼育水槽１の外方へ突出されるようにしてある。また異物除去装置４のエアリフトポンプ３８を形成するエアリフトパイプ３９の上端部は搬送具４５のベルト５３よりも高い位置まで立ち上げてあり、エアリフトパイプ３９の上端の吐出パイプ４０の先端はベルト５３の直上に位置するようにしてある。搬送具４５は異物除去装置４が作動するときに同時に作動されるようにしてある。尚、図７においてブロア４１とエアホース４２の図示は省略しているが、図１及び図５と同様にエアホース４２はエアリフトパイプ３９の下端部に接続されている。
【００３０】
また上面が開口する槽体からなる脱皮殻溶解槽４８は飼育水槽１の近傍に配置してあって、搬送具４５のベルト５３の終端部の直下に脱皮殻溶解槽４８が位置するようにしてある。脱皮殻溶解槽４８は飼育水槽１とフィルター２３との間の返送路２２に流入路５４と流出路４９とで接続してあり、流入路５４に設けたポンプ５５を作動させることによって、返送路２２を通過する水を流入路５４から脱皮殻溶解槽４８に流入させるようにしてある。脱皮殻溶解槽４８の上部の槽内面には脱皮殻やろ材４７を通過させない網目のメッシュフィルター５８が設けてあり、流出路４９はこのメッシュフィルター５８の内側において脱皮殻溶解槽４８に接続してある。また脱皮殻溶解槽４８の底部内には散気管５６が配置してあり、ブロア５７から送風される空気を散気管５６から吐出させることによって、脱皮殻溶解槽４８内を曝気することができるようにしてある。この散気管５６とブロア５７から曝気手段４６が形成されるものである。さらに脱皮殻溶解槽４８内にはろ材４７が投入してある。ろ材４７は発泡樹脂などの粒子で形成してあり、散気管５６から吐出される空気によって脱皮殻溶解槽４８内で水中を流動する流動ろ床が形成されるようにしてある。尚、水流ポンプ（不図示）などを脱皮殻溶解槽４８に備え、この水流ポンプによってろ材４７を流動させるようにしてもよい。このように曝気手段４６を備えない場合には、脱皮殻溶解槽４８に酸素を供給する酸素供給手段（不図示）を備えるようにするのが望ましい。
【００３１】
そして、既述のように、異物収集箇所３に収集された異物がエアリフトポンプ３８からなる異物除去装置４で捕捉されると、異物はエアリフトポンプ３８を構成するエアリフトパイプ３９の上端の吐出パイプ４０から水と共に吐出され、搬送具４５のベルト５３の上に受けられる。飼育水槽１でエビなどの甲殻類を飼育する場合、異物の殆どは脱皮殻６０である。この脱皮殻６０はベルト５３の走行駆動に伴って脱皮殻溶解槽４８へと送られるが、ベルト５３は網等で形成されているので、水分はベルト５３を通して落下し、飼育水槽１に戻る。このように水切りされた状態で脱皮殻６０はベルト５３の先端から脱皮殻溶解槽４８内に投入される。このとき、ベルト５３の先端部の外面にスクレーパー６５の先端が弾接させてあり、ベルト５３の上を搬送される脱皮殻６０をスクレーパー６５でベルト５３の表面から掻き取って、脱皮殻溶解槽４８に確実に投入できるようにしてある。このスクレーパー６５は例えば脱皮殻溶解槽４８の上端部に支持されているものである。
【００３２】
脱皮殻６０は脱皮殻溶解槽４８の水中で分解されるが、脱皮殻溶解槽４８中のろ材４７に生息する細菌の作用で脱皮殻６０の分解が促進され、しかも散気管５６による曝気で脱皮殻溶解槽４８の水は嫌気状態にならず溶存酸素量の多い好気性雰囲気で、細菌の活動が活発になり、脱皮殻６０は効率高く分解される。脱皮殻６０の分解効率を高めるためには、脱皮殻溶解槽４８中の水のｐＨを６．５以上、水温を２５℃以上に調整するのが好ましい。このように脱皮殻６０が分解されると、脱皮殻６０は水に溶解し、ミネラル分も水に溶解される。そして、脱皮殻６０が水に溶解すると、ポンプ５５を作動して返送路２２を通過する水を流入路５４から脱皮殻溶解槽４８に流入させ、この流入した水で脱皮殻溶解槽４８内の水を押し上げて、脱皮殻６０が溶解した水を流出路４９にオーバーフローさせ、流出路４９から返送路２２に送り出し、フィルター２３及び給水路２１を介して飼育水槽１に返送することができるものである。
【００３３】
このように脱皮殻６０をミネラル分として溶解させた水を飼育水槽１に返送することによって、飼育する甲殻類が甲殻を形成するために吸収したミネラル分を飼育水槽１の水に戻すことができるものであり、飼育水槽１の水のミネラル分が減少して海水成分のバランスが崩れることを防ぐことができ、飼育水槽１の水を長期間交換する必要なく、飼育を行なうことができるものである。
【００３４】
図９（ａ）（ｂ）は、図７及び図８の実施の形態に、粉砕装置５０を付加した実施の形態を示すものである。図９（ａ）の実施の形態では、粉砕装置５０として粉砕ロール６２を用いるようにしてある。そして搬送具４５を構成するベルト５３の走行側の終端部のロール１２の上側にこの粉砕ロール６２を配置し、ベルト５３上を搬送される脱皮殻６０を粉砕ロール６２で押し潰して粉砕した状態で、脱皮殻溶解槽４８に投入するようにしてある。また図９（ｂ）の実施形態では、粉砕装置５０として粉砕ミル６３を用いるようにしてある。そして搬送具４５を構成するベルト５３の走行側の終端部の直下にこの粉砕ミル６３を配置し、ベルト５３上を搬送されて終端部から落下する脱皮殻６０を粉砕ミル６３で受け、脱皮殻６０を粉砕ミル６３で粉砕した状態で、脱皮殻溶解槽４８に投入するようにしてある。このように脱皮殻６０を粉砕装置５０で細かく粉砕した状態で脱皮殻溶解槽４８に投入することによって、脱皮殻６０を効率良く分解して水に溶解させることができるものである。
【図面の簡単な説明】
【００３５】
【図１】本発明の実施の形態の一例を示す平面図である。
【図２】同上の正面断面図である。
【図３】同上の水の流れを示す概略平面図である。
【図４】同上のノズルを示すものであり、（ａ）は正面図、（ｂ）は断面図である。
【図５】同上の排水筒とエアリフトポンプを示す概略正面図である。
【図６】本発明の他の実施の形態の一例を示す概略平面図である。
【図７】本発明のさらに他の実施の形態の一例を示す平面図である。
【図８】同上の一部の概略正面図である。
【図９】他の実施の形態を示すものであり、（ａ），（ｂ）はそれぞれ一部の概略正面図である。
【符号の説明】
【００３６】
１  飼育水槽
２  ノズル
３  異物収集箇所
４  異物除去装置
４５  搬送具
４６  曝気手段
４７  ろ材
４８  脱皮殻溶解槽
４９  流出路
５０  粉砕装置
【図１】
2006129862.tif 000003
【図２】
2006129862.tif 000004
【図３】
2006129862.tif 000005
【図４】
2006129862.tif 000006
【図５】
2006129862.tif 000007
【図６】
2006129862.tif 000008
【図７】
2006129862.tif 000009
【図８】
2006129862.tif 000010
【図９】
2006129862.tif 000011